(57)【要約】      （修正有）【課題】色覚補正機能に加えて、近視、遠視、及び乱視等を矯正する機能を備えた色覚補正レンズであって、短期間でオーダーメイド可能な色覚補正レンズ、及び色覚補正レンズを用いたメガネを提供する。【解決手段】レンズ基体１と、色覚異常者の色覚を補正する透過率曲線を有する多層フィルム２と、ハードコート層３を備える。レンズ基体１には、近視や遠視、乱視、又はこれらのうち複数の症状の矯正を行うための曲面加工が施されており、表裏２枚のレンズ基体の間にサンドイッチ状に多層フィルムを挟むこともできる。【選択図】図１
2015118156.tif 000002
【特許請求の範囲】
【請求項１】
レンズ基体と、
色覚異常者の色覚を補正する透過率曲線を有する多層フィルムと、
を備えた色覚補正レンズ。
【請求項２】
前記レンズ基体が近視、遠視、及び乱視からなる群より選ばれた一又は複数の症状を矯正する機能を有する請求項１に記載の色覚補正レンズ。
【請求項３】
前記レンズ基体をさらに１枚備え、
前記多層フィルムが２枚のレンズ基体間にサンドイッチ状に挟まれるよう設けられている請求項１又は請求項２に記載の色覚補正レンズ。
【請求項４】
請求項１から請求項３に記載の色覚補正レンズを備えた色覚補正メガネ。
【発明の詳細な説明】
【技術分野】
【０００１】
この発明は、色覚異常者の色覚を補正する色覚補正レンズ、及び当該色覚補正レンズを備えた色覚補正メガネに関する。
【背景技術】
【０００２】
従来、色覚異常者の色覚を補正する色覚補正レンズが製造・販売されている。かかる色覚補正レンズは、色覚異常者が色覚正常者に比べて特定の波長の光に対する感度が他の波長の光に対する感度より強すぎるという理論に基づいており、色覚異常者が相対的に強く感じる波長の光の透過率を抑制するような透過率曲線を備えた被膜がレンズ上に形成されている。
【０００３】
例えば、特許文献１に係る色覚補正レンズでは、色覚異常者の色覚特性を４つのタイプに分類し、さらに、各タイプを色覚異常の程度に合わせて８つの等級に分類し、計３２種類の透過率曲線を有する色覚補正レンズを用意することで、あらゆる色覚異常者をカバーするようにしている。
【０００４】
一方で、色覚異常者には、色覚正常者同様、近視や遠視、乱視等（以下「近視等」という。）の矯正を必要とする人も含まれるため、色覚補正レンズに近視等を矯正する機能を付加することが望まれている。
【０００５】
ここで、色覚補正レンズに近視等の矯正機能を付加することを考えた場合、３２種類の透過率曲線を有するレンズを、さらに近視等の症状に合わせてレンズを細分化すると、レンズの種類が非常な数に増大するため実質的にすべてのレンズを在庫することは不可能である。従って、色覚異常者の色覚特性及び近視等の度合いを検査した後、オーダーメイド的にレンズを作成することが望まれる。
【先行技術文献】
【特許文献】
【０００６】
【特許文献１】特開平６−１８８１９号公報
【発明の概要】
【発明が解決しようとする課題】
【０００７】
しかし、特許文献１等従来の色覚補正レンズでは、レンズ表面に真空蒸着等で被膜を形成することから、ワンロットで１種類の透過率曲線のレンズしか被膜形成できず、同じ透過率曲線を有するレンズがワンロット分集まるまでレンズに被膜形成できないため、注文を受けてからレンズが完成するまで非常に時間がかかるという問題が有る。
本発明は、上記課題に鑑みてなされたものであり、色覚補正レンズに近視等を矯正する機能を付加したレンズを、色覚異常者の色覚や視力を検査した後短期間でオーダーメイド可能な色覚補正レンズ、及び該レンズを用いたメガネの提供を目的とする。
【課題を解決するための手段】
【０００８】
上記課題を解決するためになされた発明は、レンズと、色覚異常者の色覚を補正する透過率曲線を有する多層フィルムと、を備えた色覚補正レンズである。ただし、ここで、「レンズ」とは、近視等を矯正する機能を備えないレンズを含むものとする。
【０００９】
本発明に係る色覚補正レンズでは、レンズ毎に個別に多層フィルムを設けることができることから短期で製造することができ、色覚異常者の色覚特性や近視の度数等を検査した後、オーダーメイドすることができる。
【００１０】
本発明は、前記レンズが近視、遠視、及び乱視からなる群より選ばれた一又は複数の症状を矯正する機能を有することが好ましい。こうすることで、色覚を補正すると同時に近視等を矯正することができる。
【００１１】
本発明に係る色覚補正レンズは、前記レンズ基体をさらに１枚備え、前記多層フィルムが２枚のレンズ基体間にサンドイッチ状に挟まれるよう設けられていることが好ましい。
こうすることで、多層フィルムに傷がつくことを抑制できる。
【００１２】
本発明は前記色覚補正レンズを用いた色覚補正メガネを含む。
【発明の効果】
【００１３】
以上、説明したように本発明によれば、色覚補正レンズに容易に近視等の矯正機能を付与することができる。
【図面の簡単な説明】
【００１４】
【図１】本発明の一の実施の形態に係る（ａ）色覚補正レンズの模式的断面図、（ｂ）多層フィルムの模式的断面拡大図、（ｃ）光学繰り返しユニットの模式的断面拡大図である。
【図２】本発明の色覚補正レンズに係る多層フィルムの緑色光の透過率を相対的に抑えた透過率曲線の例である。
【図３】本発明の色覚補正レンズに係る多層フィルムの緑色光、及び赤色光の透過率を相対的に抑えた透過率曲線の例である。
【図４】本発明のその他の実施の形態に係る色覚補正レンズの模式的断面図である。
【発明を実施するための形態】
【００１５】
以下、本発明の色覚補正レンズ、及び色覚補正メガネについて詳述する。図１（ａ）は、本発明の一の実施の形態に係る色覚補正レンズ１０の断面を模式的に示している。色覚補正レンズ１０は、レンズ基体１と多層フィルム２とを主に備える他、ハードコート層３を備えている。
尚、本発明は、以下の実施形態に限られるものではない。
【００１６】
レンズ基体１は、プラスチックやガラス等の素材から研磨やプレス等により形成され、メガネとして着用する際に内側となる裏面側（図１（ａ）の下側）に、近視や遠視、乱視、又はこれらのうち複数の症状の矯正を行うための曲面加工が施されている。
【００１７】
レンズ基体１は、ガラスレンズ、又はプラスチックレンズの何れであってもよく、プラスチックレンズの材料としては、例えば、ポリメチルメタクリレート等のメタクリル樹脂、ポリカーボネート、ポリジエチレングリコールビスアリルカーボネート等のポリジアリルグリコールカーボネート類、ポリスチレン等を用いることができる。
【００１８】
ハードコート層３は、図１（ａ）に示すように、多層フィルム２が設けられないレンズ基体１の裏面側に設けられ、レンズ基体１の裏面側に傷がつくのを抑制する。ハードコート層３は、レンズ基体１が曲面加工まで終了した後コーティングされる。
【００１９】
多層フィルム２は、図２及び図３に示したような理想の透過率曲線を具備するように設計され、実際には、理想の透過率曲線を近似した透過率曲線が付与さる。尚、図２は、赤色光や青色光より緑色光に対する感度が相対的に高い色覚異常者を対象としたＡグループのＡ１からＡ８までの８等級の色覚補正レンズの設計上の透過率曲線を示し、図３は、青色光に比べ、赤色光と緑色光に対する感度が相対的に高い色覚異常者を対象としたＢグループのＢ１からＢ８までの８等級の色覚補正レンズの設計上の透過率曲線を示している。
多層フィルム２は、特許文献１同様、Ａ及びＢグループに加えＣ、Ｄグループを併せて計４グループ、３２種の透過率曲線を付与したものが用意される。
【００２０】
多層フィルム２は、ポリエステル等の透明樹脂から選んだ異なる熱可塑性樹脂を多層同時押出しすることで形成され、図１（ｂ）、（ｃ）の部分拡大図に示すように、異なる屈折率を有する２種の樹脂層２１ａ，２１ｂを交互に積層して形成された光学繰り返しユニット２１を多数備えている。それぞれの光学繰り返しユニット２１は、担当する波長領域の光に対し所定の反射率を有するよう形成され、光学繰り返しユニット２１を多数積層することで、図２に示したような各波長領域で透過率の変化する透過率曲線を形成する。
【００２１】
光学繰り返しユニット２１を形成する異なる屈折率を有する２種の透明な熱可塑性樹脂の組み合わせとしては、例えば、ポリエチレンテレフタレートとポリメチルメタアクリレートの組み合わせや、ポリブチレンテレフタレートとポリメチルメタアクリレートの組み合わせ等を挙げることができ、その他、公知の樹脂の組み合わせを適宜用いることができる。
【００２２】
光学繰り返しユニット２１は、下記式（１）により、担当する波長領域に対応して全体の厚みが決定される。
λM＝（２／Ｍ）・Ｄr                        （１）
ここで、λMは、反射光の波長、Ｍは反射光の次数を表す整数であり、Ｄrは光学繰り返しユニットの光学的厚さである。
そして、各光学繰り返しユニット２１の反射率は屈折率の異なる２種の層２１ａ、２１ｂの屈折率差、光学的厚さの比、層数等により決定される。
【００２３】
多層フィルム２はラミネート等の公知の方法を適宜用いてレンズ基体１に貼着される。
【００２４】
本発明の色覚補正レンズ１０を備えた色覚補正メガネ（図示せず）を色覚異常者に提供するにあたっては、まず、色覚異常者の色覚特性と、近視、遠視、及び乱視の有無と度数を検査により特定し、色覚異常者の近視等の度数に適合したレンズ基体１を選択する。これに色覚異常者の色覚特性に合わせた透過率曲線を備えた多層フィルム２を貼着する。その後、色覚補正レンズ１０をメガネフレーム（不図示）に合わせて加工し、色覚補正メガネ（不図示）を作成する。本発明の色覚補正レンズ及び色覚補正メガネは、このように、色覚等の検査を終えた後、短時間で製作することができるため、レンズ基体と多層フィルムとを別々に在庫しておけば済み、在庫品の種類を抑制することができる。
【００２５】
本発明の色覚補正レンズは、上記の実施形態に限らず、図４（ａ）の色覚補正レンズ２０に示すように、レンズ基体２１の裏面に多層フィルム２を貼着してもよく、図４（ｂ）の色覚補正レンズ３０に示すように、表裏２枚のレンズ基体３１，３１の間にサンドイッチ状に多層フィルム２を挟むこともできる。また、多層フィルム２は、貼着面を糊面に形成してもよい。光学繰り返しユニットは、異なる２層の樹脂を繰り返し積層して形成するフォトニック結晶型に限らず、多層フィルム２の少なくとも一部にコレステリック液晶を固定化して形成したコレステリック液晶型の層を用いてもよい。レンズ基体は、両面にハードコートを施してもよいし、撥水コート等多層フィルムでは得られない性能をレンズに具備させるために各種の公知のコーティングを行うことができる。また、本発明の色覚補正レンズは、眼鏡用のレンズに限らずコンタクトレンズに用いることもできる。尚、図４中、２３，３３は、ハードコート層を示している。
【符号の説明】
【００２６】
１０，２０，３０  色覚補正レンズ
１，２１，３１  レンズ基体
２  多層フィルム
【図１】
2015118156.tif 000003
【図２】
2015118156.tif 000004
【図３】
2015118156.tif 000005
【図４】
2015118156.tif 000006